Podtech/llm-jp-corpus-v4-ja_patent huggingface dataset:
(57)【要約】【課題】使用した歯ブラシから柄を伝って水が歯ブラシスタンドの底に溜まってしまっていた。それをもっと通気性を良くし衛生的にする。また電動歯ブラシのヘッド部分や歯間用ジェット水流のノズルなど短い物の置き場所のある歯ブラシスタンドを提供する。【解決手段】大小のポケットの付いた布製の歯ブラシスタンドをクリップのようなもので吊り下げて通気性を良くし、大きいポケットには一般の歯ブラシを入れ、小さいポケットには電動歯ブラシのヘッド部分や歯間用ジェット水流のノズルを入れることができるという道具です。【選択図】図１
2009183656.tif 000002
【特許請求の範囲】
【請求項１】
大小ポケットの付いた布製の歯ブラシスタンドをクリップのようなもので吊り下げて通気性を良くし、大きいポケットには一般の歯ブラシを入れ、小さいポケットには電動歯ブラシのヘッド部分や歯間用ジェット水流のノズルを入れることができるという道具です。
【発明の詳細な説明】
【技術分野】
【０００１】本発明は歯ブラシや電動歯ブラシのヘッド部分、歯間用ジェット水流のノズル部分など一人分を布製ポケット型の歯ブラシスタンドに挿して保管できるようにした物です。この歯ブラシスタンドは通気性に優れ、洗濯機で手軽に洗えるのでカビなどが着くこともなく、また一人分ずつ保管するので家族全員の歯ブラシを一つの歯ブラシスタンドを使用のとは違い水を通して風邪などなどが感染することもなくなるというものです。
【背景技術】
【０００２】従来はプラスチックや陶器で出来たコップ型などの歯ブラシスタンドしかなかった。この場合だと使用した歯ブラシから柄を伝って水がコップの底に溜まってしまいました。
【発明の開示】
【発明が解決しようとする課題】
【０００３】歯ブラシをプラスチックや陶器などの歯ブラシスタンドに立てて置くと歯ブラシに付いていた水が歯ブラシを伝って底に水が溜まって衛生的にもよくない。また電動歯ブラシのヘッド部分や歯間用ジェット水流のノズル部分を置く場所に困っていました。本発明はこのようなことを解決するためになされたものです。
【課題を解決するための手段】
【０００４】キルティングなどの厚めの布で大小のポケットを設け、大きい方には一般的な歯ブラシを挿し、小さい方のポケットには電動歯ブラシのヘッドや歯間用ジェット水流のノズル部分のように短いものを挿します。そしてこの布の歯ブラシスタンドをクリップのようなもので吊り下げて使用します。
【発明の効果】
【０００５】・歯ブラシスタンドが布でできており、クリップのようなもので吊り下げてあるので通気性が良く歯ブラシを衛生的に保管することができる。
・一般の歯ブラシ、電動歯ブラシのヘッド部分、歯間用ジェット水流のノズルなど一人分を一つの布製ポケット型の歯ブラシスタンドに置くことができるので短い物の置き場所に困ることがありません。
・歯ブラシスタンドが布でできているのでプラスチックや陶器の歯ブラシスタンドのように底に水が溜まることがなく衛生的である。
・歯ブラシスタンドが布でできているので、洗濯機で手軽に洗うことができます。
【実施例】
【０００６】以下、本発明の実施の形態を説明する。
（イ）厚めの布で大小のポケットがついたポケット付歯ブラシスタンド（１）を作る。
（ロ）ポケット付歯ブラシスタンドを吊り下げるために歯ブラシスタンド土台（６）にひもが付いたクリップ（４）を取り付ける。
（ハ）ポケット付歯ブラシスタンド（１）がクリップ（４）でしっかり留まるように上部の折り曲げ線（７）のところで折り曲げてからはさむ。
本発明を使用するときは、歯ブラシスタンドの土台（６）部分を壁や洗面台に取り付ける。
大きいポケット（２）には一般的な歯ブラシ（９）を入れ、小さいポケット（３）には電動歯ブラシのヘッド（１０）部分や歯間用ジェット水流のノズル（１１）などを入れる。
【図面の簡単な説明】
【０００７】
【図１】本発明の斜視図である。
【図２】本発明の分解斜視図である。
【図３】本発明の使用状態を示す斜視図である。
【図４】本発明の布部分Ａタイプの斜視図である。
【図５】本発明の布部分Ａタイプの表側正面図である。
【図６】本発明の布部分Ａタイプの裏側正面図である。
【図７】本発明の布部分Ａタイプの断面図である。
【図８】本発明の布部分Ｂタイプの斜視図である。
【図９】本発明の布部分Ｂタイプの裏側正面図である。
【図１０】本発明の布部分Ｂタイプの裏側正面図である。
【図１１】本発明の布部分Ｂタイプの断面図である。
【符号の説明】
【０００８】  １  ポケット付歯ブラシスタンド
２  大きいポケット
３  小さいポケット
４  クリップ
５  クリップ取り付けひも
６  歯ブラシスタンド土台
７  折り曲げ線
８  おまけポケット
９  一般的な歯ブラシ
１０  電動歯ブラシのヘッド
１１  歯間用ジェット水流のノズル
【図１】
2009183656.tif 000003
【図２】
2009183656.tif 000004
【図３】
2009183656.tif 000005
【図４】
2009183656.tif 000006
【図５】
2009183656.tif 000007
【図６】
2009183656.tif 000008
【図７】
2009183656.tif 000009
【図８】
2009183656.tif 000010
【図９】
2009183656.tif 000011
【図１０】
2009183656.tif 000012
【図１１】
2009183656.tif 000013
(57)【要約】【課題】翼全体が閉じるようにする、また、ハンガーを閉じたり広げたりするための固定具（（４）（７）（９））が衣類の中に隠れないようハンガーの上部に取り付ける。【解決手段】頭部及び肩部からなる翼１対を頭部と頭部との間に谷が出来るように合わせ、吊棒を中心として翼が閉じたり広がったり出来るように翼１対と吊棒を取り付ける、翼を水平にする固定具としてのつっかい棒を吊棒に取り付け、或いは、筒に吊棒を通す、その固定具が谷に入ると翼が水平に固定され、外すと翼が閉じる。更に翼が広がり過ぎないように片方の肩部の上にストッパーを設け、また、片方の肩部の下に翼が閉じ過ぎないようにストッパーを設ける。或いは、吊棒の替わりに二股吊棒を翼に取り付け、固定具として片方の頭部につまみ付きリンクを取り付る、リンクを谷に入れると翼が水平に固定され、外すと翼が閉じる。本発明は、以上のような構成よりなるハンガーである。【選択図】図２
2009183659.tif 000002
【特許請求の範囲】
【請求項１】
頭部（２）と肩部（３）からなる翼１対を、頭部と頭部との間に谷（６）をつくり、その間に吊棒（１）を取り付け、翼全体が閉じたり広がったり出来るようにする。吊棒につっかい棒（４）を取り付け、片方の肩部の上部と下部にストッパー（５）を設けたハンガー。
【請求項２】
筒（７）に吊棒を通した請求項１のハンガー。
【請求項３】
二股吊棒（８）に翼を取り付け、片方の頭部につまみを設けたリンク（９）を取り付けた請求項１のハンガー。
【発明の詳細な説明】
【技術分野】
【０００１】  この発明は、吊棒に付けたつっかい棒または筒、或いは、頭部に付けたつまみ付きリンクを谷から外すと翼全体が閉じるハンガーに関するものである。
【背景技術】
【０００２】  従来、閉じるために多数の屈折点を設けたもの、或いは、肩部の下に閉じるための爪を設けたハンガーがあった。
【発明の開示】
【発明が解決しようとする課題】
【０００３】  これは次のような欠点があった。
ハイネック等前開きでない衣類をハンガーから取り外す場合、多数の屈折点を設けたものは衣類の上からハンガーをつかみ屈折点を曲げていかなければならず、また、肩の下に爪の付いたものは衣類の首部に指を入れて外す必要があってやり難い。
本発明は、これらの欠点を除くためになされたものである。
【課題を解決するための手段】
【０００４】  頭部及び肩部からなる翼１対を頭部と頭部との間に谷が出来るように合わせ、翼が閉じたり広がったり出来るように吊棒を取り付ける、翼を水平にする固定具としてのつっかい棒を吊棒に取り付け、或いは、筒に吊棒を入れる、その固定具が谷に入ると翼が水平に固定され、外すと翼が閉じる。更に翼が広がり過ぎないように片方の肩部の上にストッパーを設け、また、翼が閉じ過ぎないように片方の肩部の下にストッパーを設ける。
或いは、吊棒の替わりに二股吊棒を翼に取り付け、固定具として片方の頭部につまみ付きリンクを取り付る、リンクを谷に入れると翼が水平に固定され、外すと翼が閉じる。
本発明は、以上のような構成よりなるハンガーである。
【発明の効果】
【０００５】  本発明はこのような構成なので、ハイネック等の衣類を掛けた場合、固定具としてのつっかい棒や筒、或いは、つまみ付きリンクがハンガーの上部にある谷に納まるようになるため、これらの固定具が衣類に隠れることなくつかみ易く簡単に操作出来る
【発明を実施するための最良の形態】
【０００６】  以下、本案の実施の形態について説明する。
（イ）  頭部と肩部からなる翼１対を頭部と頭部との間に谷が出来るように合わせ、両翼が閉じたり広がったり出来るように吊棒、または、二股吊棒を取り付ける。
（ロ）  吊棒につっかい棒を取り付ける、または、筒に吊棒を通す。或いは、片方の頭部につまみ付きリンクを取り付ける。
（ハ）  何れかの肩部の上部に翼が広がり過ぎないようにストッパーを付ける。
（ニ）  何れかの肩部の下部に翼が閉じ過ぎないようにストッパーを付ける。
【図面の簡単な説明】
【０００７】
【図１】  本発明の吊棒を付けた正面図である
【図２】  本発明の吊棒を付けた斜視図である
【図３】  本発明に筒を吊棒に通した部分の拡大正面図である
【図４】  本発明に二股吊棒及びつまみ付きリンクを付けた斜視図である
【図５】  本発明につまみ付きリンクを付けた部分の拡大斜視図である
【符号の説明】
【０００８】  １  吊棒          ２  頭部        ３  肩部        ４  つっかい棒
５  ストッパー    ６  谷          ７  筒          ８  二股吊棒
９  つまみ付きリンク
【図１】
2009183659.tif 000003
【図２】
2009183659.tif 000004
【図３】
2009183659.tif 000005
【図４】
2009183659.tif 000006
【図５】
2009183659.tif 000007
(57)【要約】【課題】本発明は、樹木が成長しても根が地上に盛り上がらない方法の提案にある。【解決手段】本発明は、並木などの植樹方法において、路面上に樹木の根鉢を置き根鉢の周囲を客土で覆い、当該客土を保つため土壌の周囲を取り外し可能な壁面で囲み、前記樹木が生長した後前記壁面を取り外す高植え式植樹方法である。樹木の根が木の幹の周辺で盛り上がらないよう、根が垂直に伸びるよう高植えとし、路盤面より高い位置にある根の周囲の土壌が雨水で流失しないよう、細根を土壌表面に密生させるため取り外し可能な壁面で覆った。【選択図】図１
2009183183.tif 000002
【特許請求の範囲】
【請求項１】
並木などの植樹方法において、路面上に樹木の根鉢を置き根鉢の周囲を客土で覆い、当該客土を保つため客土の周囲を取り外し可能な壁面で囲み、前記樹木が生長した後前記壁面を取り外す高植え式植樹方法。
【発明の詳細な説明】
【技術分野】
【０００１】
本発明は、並木などの植樹方法に属す。
【背景技術】
【０００２】
従来並木などの植樹方法は、図２ａに示すように植樹場所に穴を掘り、樹木の根鉢を保護しながら植えつける方法が古来より行われている。歩道に沿って本方法で植えられた並木は、図２ｂに示すように、樹木の成長につれて根が歩道の敷石あるいはアスファルトを盛り上げるなどの弊害を起こすことがある。歩行者の通行の妨げあるいは、歩道などを傷める原因となる。
並木などの根が街路を傷めない植樹方法が求められている。
【発明の開示】
【発明が解決しようとする課題】
【０００３】
本発明は、樹木が成長しても根が地上に盛り上がらない方法の提案にある。
【課題を解決するための手段】
【０００４】
本発明は、並木などの植樹方法において、路面上に樹木の根鉢を置き根鉢の周囲を客土で覆い、当該客土を保つため客土の周囲を取り外し可能な壁面で囲み、前記樹木が生長した後前記壁面を取り外す高植え式植樹方法である。樹木の根が木の幹の周辺で盛り上がるのを防ぐため、根が垂直に伸びるよう高植えとし、路盤面より高い位置にある根の周囲の土壌が雨水で流失しないよう、細根を土壌表面に密生させるため取り外し可能な壁面で覆った。
【発明の効果】
【０００５】
本発明は、樹木を路盤面に対して高植えとしたため、（１）幹近くの根が垂直に成長し、周囲の路盤面を盛り上げることがない。（２）壁面で覆ったため壁面に接する部分に細根が密生し、高植えの土壌が流出しない。（３）横に広がる根が細かくなるため屋上緑化などの客土の薄い場所でも植樹ができる。
【発明を実施するための最良の形態】
【０００６】
以下本発明を図により説明する。
図１は、本発明に係る樹木の植樹方法の手順を示す概念図である。
図１ａは路盤上に植樹すべき樹木を置いた状態を示している。
図１ｂは植樹すべき樹木の周囲を客土で覆い、さらに壁面で覆った状態を示している。図１ｃは、樹木が生長し、樹木の根が垂直方向に延びていく状態を示している。図１ｄは、壁面内面に細根が密生した状態を示している。図１ｅは、樹木の生長後壁面を取り除いた状態を示している。
【０００７】
図１ａでは、路面に直接置いているが、路面上に客土しその上に植えつけてもよく、植えつける樹木の性質を考慮して適宜変更することが可能である。
【０００８】
樹木の根鉢部分を覆う壁面も、取り外しが可能ならば、２つに分割するものでも、巻きつけるものでも作業の便などを考慮して適宜選択することができる。
壁面の材質も、樹木の生長の速さ、材質の寿命など考慮し、樹脂製、陶製、金属性など適宜選ぶことができる。
【０００９】
本植樹方法によれば、樹木の太い主根部分は垂直に伸び、細い枝根部分は横に広がるよう成長するため客土の薄い屋上の緑化にも使用可能となる。
【図面の簡単な説明】
【００１０】
【図１】本発明である樹木の植樹方法の手順を示す概念図である。
【図２】従来の樹木の植樹方法とその結果を示す概念図である。
【符号の説明】
【００１１】
１  植樹用樹木
２  壁面
【図１】
2009183183.tif 000003
【図２】
2009183183.tif 000004
(57)【要約】【課題】生成物の精製が容易で、発酵効率の高いバイオリアクターを提供すること。【解決手段】   メンブレンに微生物を一層配置するメンブレンバイオリアクターを提供する。 【選択図】図１
2009183246.tif 000002
【特許請求の範囲】
【請求項１】
被処理液中の特定成分を生物変換するのに有効な微生物を、メンブレンに一層になるように配置することを特徴とするバイオリアクター。
【請求項２】
前記被処理液中の特定成分の生物変換効率を向上するために、微生物を配置したメンブレンに被処理液を通過させることを特徴とする請求項１に記載のバイオリアクター。
【請求項３】
前記被処理液と生成物との分離を容易にするために、微生物を配置したメンブレンに被処理液を通過させることを特徴とする請求項１に記載のバイオリアクター。
【発明の詳細な説明】
【技術分野】
【０００１】
本発明は、生成物の精製が容易で、発酵効率の高いバイオリアクターに関するものである。
【背景技術】
【０００２】
従来、微生物による発酵生産には完全混合型の発酵槽を用いることが一般的である。完全混合型の培養槽を用いた発酵生産については、例えば、Ｓｔａｎｂｕｒｙらの「発酵工学の基礎」（１９８８年  学会出版センター）（非特許文献１）に詳細に記載されている。
【０００３】
完全混合型の発酵槽を用いた発酵生産の場合、（１）発酵後、原料と発酵生成物の分離工程が必要となる、（２）乳酸などの有機酸を発酵生産する場合、培養槽内のｐＨが低下する為、微生物の発酵効率が低下し、別途中和剤を用いた発酵液の中和が必要となる、等発酵中、発酵後の工程が煩雑となる欠点を有していた。
【０００４】
このため、発酵生産に用いる微生物を適当な担体に担持したバイオリアクターを用いて発酵生産を行うことが公知である。その例として、例えば特開２００１−８６７６号（特許文献１）において開示されているキトサン系の固定化担体を用いるものが挙げられる。
【０００５】
しかし、これらのバイオリアクターについても形態が、カラム充填タイプである為、バイオリアクター内部で原料と発酵生成物が混在する。このため、発酵生産後に原料と発酵生成物の分離工程が必要となる。また、発酵生成物と微生物もバイオリアクター内で混在する。このため、発酵生成物により、発酵効率が低下する。
【特許文献１】特開２００１−８６７６号号公報
【非特許文献１】「発酵工学の基礎」（1988年  学会出版センター）
【発明の開示】
【発明が解決しようとする課題】
【０００６】
本発明は、生成物の精製が容易で、発酵効率の高いバイオリアクターを提供することが目的である。
【課題を解決するための手段】
【０００７】
上述の課題を達成するために、本発明においては、被処理液中の特定成分を生物変換するのに有効な微生物を、一層になるようにメンブレン上に配置している。
【０００８】
すなわち、本発明におけるメンブランバイオリアクターは、メンブレン上に一層になるように微生物を配列することにより、メンブランを介して原料と生成物を分離することが可能となる。このため、生成物の精製が容易となる。また、生成物阻害による微生物の発酵生産収率の低下も改善される。
【発明の効果】
【０００９】
以上述べたように、本発明によると、メンブランバイオリアクターを用いることにより発酵生産効率が向上するバイオリアクターを得ることができる。
【発明を実施するための最良の形態】
【００１０】
本発明に係るバイオリアクターは、被処理液中の特定成分を生物変換するが、ここにおいていう生物変換は、好気性発酵、嫌気性発酵のいずれであってもよく、必要に応じて所定の方法が選択される。
【００１１】
また、被処理液中の特定成分についても、グルコース、スクロースやその他の糖質、或るいはそれ以外の特定成分であってもよいが、一般には、グルコース、スクロースやその他の糖質を対象とする。
【００１２】
図１において、被処理液（例えば、グルコース溶液）の生物変換（エタノールへの嫌気発酵処理）に用いられるメンブレンバイオリアクターが示されている。同図において、メンブレンバイオリアクター１は、反応容器２内に、シート状のメンブレン（ニトロセルロース膜：ミリポア社製）３と酵母Ｓａｃｃｈａｒｏｍｙｃｅｓ
ｃｅｒｅｖｉｓｉａｅ ４とを一体化した形態に装着している。 
【００１３】
このメンブランバイオリアクター１によると、供給管路５に装着されているポンプ６を運転して被処理液タンク７から被処理液をメンブレンバイオリアクターに送液させて被処理液の生物変換を行うことができる。
【００１４】
上述のシート状のメンブレンバイオリアクター１は、図2において被処理液中の糖(グルコース)をアルコールに変換する微生物、例えば、酵母Ｓａｃｃｈａｒｏｍｙｃｅｓ
ｃｅｒｅｖｉｓｉａｅを好ましくは一層、もしくは二〜五層になるように配置されている。また、メンブレン上に配置された微生物は、シート状のメンブレンに囲まれた形態をとる。被処理液中のグルコースは、メンブレンバイオリアクター上の酵母Ｓａｃｃｈａｒｏｍｙｃｅｓ
ｃｅｒｅｖｉｓｉａｅｔにより生物変換されてエタノールが生成する。メンブレン上で生成したエタノールは、メンブレンを通過することにより、未処理原料と分離することが可能である。
【００１５】
このように、本発明においては、従来の完全混合型の培養装置を用いず、シート型のメンブレンバイオリアクターを用いている。そのため、被処理液中の糖はメンブレンリアクターの微生物が配置されているメンブレン上で生物変換され、エタノールが生成する。生成したエタノールは、メンブレンを通過する。この際、このように生物変換における原料と生成物の分離が簡便になる。
【００１６】
加えて、例えば、酵母Ｓａｃｃｈａｒｏｍｙｃｅｓ ｃｅｒｅｖｉｓｉａｅの糖からのエタノール発酵生産においては、生成するエタノールが酵母の生育に影響を及ぼし、発酵生産効率が低下することが既知の事実として知られている。メンブレンバイオリアクターで原料と生成物を分離し、生成物を回収することにより発酵生産効率を増加させることが出来る。
【００１７】
以下、実施例を示す。
【実施例１】
【００１８】
酵母メンブレンバイオリアクターを用いたエタノールの発酵生産
【００１９】
ＹＰＤ培地を用いて培養した酵母Ｓａｃｃｈａｒｏｍｙｃｅｓ ｃｅｒｅｖｉｓｉａｅ （Ｗ３０３株）を定常期まで振とう培養して得た酵母菌体（１ｍＬ培養液中に１０＾８個の菌体を含む）をニトロセルロース膜(ミリポア社製)上に一層になるように配置し、メンブレンバイオリアクターを作製した。作製したメンブレンバイオリアクターを用いて、１０％グルコース溶液を被処理液として30℃でエタノール発酵を実施した。その結果、５．５％のエタノールを生成した。
【産業上の利用可能性】
【００２０】
本発明の方法により、発酵生産効率が高効率で、高純度の生成物ができる。
【図面の簡単な説明】
【００２１】
【図１】メンブレンバイオリアクターによるエタノール発酵の処理態様を示す図である。
【図２】メンブレンバイオリアクター  模式図
【符号の説明】
【００２２】
１：メンブレンバイオリアクター
２：反応容器
３：酵母Saccharomyces cerevisiae
４：メンブレン
５：供給管路
６：ポンプ
７：被処理液タンク 
【図１】
2009183246.tif 000003
【図２】
2009183246.tif 000004
(57)【要約】      （修正有）【課題】大豆及び胡麻を原料とした霊芝菌体の培養方法とその産物を提供する。【解決手段】培養補助液に１０から１２時間浸漬した大豆及び胡麻の固体培地を栽培容器に入れて、オートクレーブで２０分間滅菌し冷却後、容器内の培地に霊芝菌を接種し２５℃〜３０℃の環境で３０日〜４０日間培養し、熟成した後に乾燥・粉末化する。【効果】生産物には各種の抗癌成分や加水分解酵素が含有しており、機能性食品やその原料として利用できる。【選択図】なし【特許請求の範囲】
【請求項１】
（ａ）大豆及び胡麻を別途作成の培養補助液に浸漬して、その補助液を含漬させた大豆及び胡麻全粒を固体培地とし、これを培養容器に入れ雑菌を防ぐ処置として加熱・減菌後に冷却したものを準備する。
（ｂ）前記（ａ）工程で準備した固体培地に霊芝種菌を接種し２５℃〜３０℃の環境で３０〜４０日間培養し熟成する。
（ｃ）前記（ｂ）工程後生産物を容器より取り出して乾燥の上、粉末化する。
【請求項２】
請求項１（ａ）の工程での固定培地は大豆・胡麻及びこの副産物である油かす・おから等である事を特徴とする請求項１記載の培養方法。
【請求項３】
請求項１（ｂ）の工程で培地に接種する菌種は、霊芝菌である事を特徴とする請求項１記載の方法により製造された生産物。
【発明の詳細な説明】
【技術分野】
【０００１】  本発明は大豆及び胡麻を固体培地とした霊芝菌体の培養方法による生産物及びその用途に関する。
【背景技術】
【０００２】  現在まで霊芝を健康食品の原料とし利用するには、茸子実体を得るべく原木による栽培法或いは菌糸体を液体培養によって生産し、その特定成分を分離精製ないし抽出して利用した。しかしこの前記方法では、時間・費用・設備等がかなり必要となる。例えば子実体１トンを生産するのに消費する原木量は約４０トンになり、また栽培用ハウスは１，５００ｍ２を必要とし、接種から収穫までの所要日数は約１８０日間である。これにより抽出した成分量は子実体の約７％であり、使用原木重量の僅か０．１７５％である。【０００３】  本発明は前記の如き点に着目して、大豆及び胡麻の固定培地に霊芝菌を接種培養して、抗癌成分のＢ−Ｄ−グルカン大腸癌予防に有効とされている大豆イソフラボン変性体及びポリサッカライド等の健康増進物質を得る事により、本発明を完成したもの。
【発明が解決しようとする課題】
【０００４】  従って本発明の目的は、大豆及び胡麻を固体培地とし、霊芝菌を接種培養する方法並びにこの培養方法によって得られる生産物を提供する事である。
【０００５】  本発明の方法により得られた生産物にはＢ−Ｄ−グルカンイソフラボン変性体・ポリサッカライド等の抗癌成分及びセルラーゼ・ラッカーゼ・リパーゼ・プロテアーゼ等多数の加水分解酵素が存在しており、機能性食品及びその原料製造に利用できる長所がある。
【発明を実施するための最良の形態】
【０００６】  以下本発明の具体的方法の実施例を挙げて詳細に説明するが、本発明の権利範囲はこれらの実施例のみに限定されるのではない。
【実施例】
【０００７】  大豆及び胡麻を原料とする固体培地での霊芝菌体培養、熟成及びその産物生産。大豆及び胡麻各５００ｇに対して、同等量の培養補助液を加え１０〜１２時間浸漬させる事によって作成した大豆及び胡麻の固体培地を栽培容器（瓶・袋等）に入れて、オートクレープで２０分間減菌した。これを冷却後に無菌作業台（グリーンベンチ）で容器内の培地に霊芝種菌を接種して、インキュベータ内に静置し２０℃〜３０℃の環境下で２５日〜３５日間培養・熟成し生産物を容器から取り出し乾燥後に粉末化し各々の３８０ｇを得た。
【発明の効果】
【０００８】  以上前記実施例で説明した通り、本発明により得られた生産物には各種の抗癌成分が含有しており、また多数の機能性健康増進物資の加水分解酵素も存在しているので、医薬品や健康食品等の各分野に著しく有用な発明である。
(57)【要約】【課題】  灌水装置は電気設備より散水管の散水時間をタイマーで決めている。散水を制御するにも電磁弁による。電源設備が無ければ灌水装置は動作出来ない。【解決手段】  灌水装置より散水管による散水の制御は、浮玉の浮力によって制御弁が動作可能で、モニター用容器の水の水位を灌水装置に取り入れて、灌水装置内部の浮玉の変化と制御弁が連動していることで解決した。【選択図】図２
2009183265.tif 000002
【特許請求の範囲】
【請求項１】
小学校の授業の一部に取り入れられている、稲の育成にバケツを利用して、水を散水する灌水装置であって、育成バケツは１５リットル程度で６０個前後設置され、バケツの上側に設置された散水管により個々のバケツに水を散水するが、その中からモニター用バケツと灌水装置を接続する。
モニター用バケツにも稲などが育成されている容器で、容器の中の水は稲などの育成過程において容器の中の水は回収されて、容器の水位が下がって、容器の中の稲が枯れてしまうことを防止するには、容器の水位を一定に保つために繰り返し散水動作をさせることになる。
散水した水は育成バケツで受けて灌水装置の浮玉容器部の中にも入ります。浮玉容器部の水位が上がり、浮玉を上昇させて灌水装置の制御弁を閉じさせて、給水を停止させて散水を止めます。灌水装置が給水始めるには浮玉容器部の中の水が、稲や植物などの育成過程で毛細管現象などの作用により、浮玉容器部の水位が下がり、浮玉を降下させて灌水装置の制御弁を開けて、給水動作で散水管より散水をさせることを特徴とする灌水装置付き稲の育成バケツ。
【発明の詳細な説明】
【技術分野】
【０００１】  本発明は、稲や植物などが育成される容器の、上部に設置された散水管に水を送る灌水装置である。
【背景技術】
【０００２】  従来の灌水装置は水道設備に接続されて、散水管に給水するには、常に電気タイマーかバッテリーを電源とするデジタルタイマーなどで時間計測をして電磁弁を開閉動作により、散水管に水を給水する。
【発明の開示】
【発明が解決しようとする課題】
【０００３】  前記の灌水装置は電磁弁の開閉動作により水を給水するため、電気設備のない所利用できない、またバッテリーを内蔵させて使用するために電源部が必要であったが。
本発明は電気設備やバッテリーの電源部など、電気を利用しないで、散水管より水道水を散水できる灌水装置を提案する。
【課題を解決するための手段】
【０００４】  本発明は上記目的を達性するために、育成バケツは１５リットル程度で６０個前後設置され。バケツの上側に設置された散水管により個々のバケツに水を散水するが、その中からモニター用バケツと灌水装置を接続する。モニター用バケツにも稲などが育成されている容器で、容器の中の水は稲などの育成過程において容器の中の水は回収されて、容器の水位がさがって、容器の中の稲が枯れてしまうことを防止するには、容器の水位を一定に保つために繰り返し散水動作をさせることになる。
散水した水は育成バケツで受けて灌水装置の浮玉容器部の中にも入ります、浮玉容器部の水位が上がり、浮玉を上昇させて灌水装置の制御弁を閉じさせて、給水を停止させて散水を止めます。灌水装置が給水始めるには浮玉容器部の中の水が、稲や植物などの育成過程で毛細管現象などの作用により、浮玉容器部の水位がさがり、浮玉を降下させて灌水装置の制御弁を開けて給水動作で、散水管より散水をさせることを特徴とする灌水装置付きの育成バケツで上記の課題を解決した。
【発明の効果】
【０００５】  上述したように、水道水を自動的に散水管より水の散水を繰り返すには、灌水装置内部の水位の高低さを検出して散水動作が可能になる。
【発明を実施するための最良の形態】
【０００６】  以下、本発明の実施の形態を図１−３に基づいて説明する。
図１は、灌水装置とモニター用育成バケツ接続断面図を示す。
灌水装置１本体は筒管で完成されている、筒管の中に浮玉付き制御装置２が内蔵され、筒管内部には浮玉１４を制御するために、浮玉容器部２３のスペース設けてある、浮玉容器部２３は外部より水を引き入れるための接続口２５設けてある。給水管１３は浮玉容器部２３の中を通り、外部の水道メーター６に接続されます。【０００７】  浮玉付き制御装置２の入口側は水道蛇口接続口１２となり、接続口より入った水道水は制御弁１６により制御されます。制御弁１６が開くにはモニター用育成バケツ９の水の水位面１９が一定巾で下がると結合管１１通り、浮玉容器部２３の水位面１９も一緒にさがり、浮玉１４が下がることで浮玉調整支柱棒１５も一緒に下がることで、制御アーム２０も下がり制御弁１６が開く。
制御弁１６を閉じるには、モニター用育成バケツ９の水位面１９上げるには、散水管３による散水補給水か、雨が降ってきた時の雨水の補給水かでモニター用育成バケツ９の水位面１９が上がると、補給水は結合管１１通り浮玉容器部２３の中に入り、補給水で水位面１９上がり浮玉１４が上がることで、浮玉調整支柱棒１５も一緒に上がることで、制御弁１６を閉じる。【０００８】  モニター用育成バケツ９には稲の苗床２２として土質材を入れる、水の水位を見る為に、検出管１０により、水位面１９の水を取り入れには、検出管切り込み口２１より、結合管１１通り、灌水装置１の接続口２５より、浮玉容器部２３の水位面１９とモニター用育成バケツ９の水位面１９は同じになる。【０００９】  図２は、灌水装置と育成バケツ設置正面図を示す。
灌水装置１の水道蛇口接続口１２からの水道水は、灌水装置１の給水管１３は水道メーター６に接続され、水道メーター６より散水管３に接続している、散水管３の散水穴４より水を出すには、モニター用育成バケツ９の水位面１９が下がつている時に、散水管３より散水が始まる。育成バケツ５に散水され、モニター用育成バケツ９にも同じように散水を受ける、モニター用育成バケツ９の水位面１９が一定以上、上昇すると、結合管１１を通り灌水装置１の内部の浮玉容器部２３の水位面１９も同じように上昇して散水管３の散水が止まる。【００１０】  図３は、灌水装置と育成バケツ設置断面図を示す。
灌水装置１は灌水装置台座２４の上に設置している、ここに水道メーター６も設置されている、水道メーター６の先には散水管３が接続され、散水管３は台座７の上に設置され、育成バケツ５より散水管３が高い位置に設置されています、散水穴４より下の育成バケツ５に散水の水が入ります。
【図面の簡単な説明】
【００１１】
【図１】  灌水装置とモニター用育成バケツ接続断面図。
【図２】  灌水装置と育成バケツ設置正面図。
【図３】  灌水装置と育成バケツ設置断面図。
【符号の説明】
【００１２】１．灌水装置
２．浮玉付き制御装置
３．散水管
４．散水穴
５．育成バケツ
６．水道メーター
７．散水管台座
８．台座支柱
９．モニター用育成バケツ
１０．水位検出管
１１．結合管
１２．水道蛇口接続口
１３．給水管
１４．浮玉
１５．浮玉調整支柱棒
１６．制御弁
１８．カバー
１９．水位面
２０．制御アーム
２１．検出管切り込み口
２２．稲の苗床
２３．浮玉容器部
２４．灌水装置台座
２５．接続口
【図１】
2009183265.tif 000003
【図２】
2009183265.tif 000004
【図３】
2009183265.tif 000005
(57)【要約】【課題】  本発明は、コラーゲン、ヒアルロン酸、コンドロイチン硫酸塩、松樹皮抽出物などの優れた健康食品素材を、風味が改善された食品として提供することを目的とする。【解決手段】  本発明によれば、コラーゲン、ヒアルロン酸、コンドロイチン硫酸塩、松樹皮抽出物などの優れた健康食品素材を、風味が改善された食品として提供することが出来る。【選択図】  なし【特許請求の範囲】
【請求項１】
コラーゲン、ヒアルロン酸、コンドロイチン硫酸塩、松樹皮抽出物からなる群から選ばれる１または２以上を含有する食品の風味の改善方法であって、ハチミツを含有することを特徴とする方法。
【請求項２】
請求項１に記載の方法により、風味が改善された食品。
【発明の詳細な説明】
【技術分野】
【０００１】
本発明は、コラーゲン、ヒアルロン酸、コンドロイチン硫酸塩、松樹皮抽出物からなる群から選ばれる１または２以上を含有する食品の風味改善方法であって、ハチミツを含有する方法に関する。
【背景技術】
【０００２】
近年高齢化が進み、社会的に医療費負担の増加や病院施設の不足などが問題となっている。そうした状況の中、医療機関に頼ることなく健康な生活を求めるという一次予防の考えが広まっている。それに伴い、日常生活の中に様々な健康食品を取り入れる人々が増え、その需要を満たすため多くの製品が製造、販売されている。本明細書中に記載のコラーゲン、ヒアルロン酸、コンドロイチン硫酸塩、松樹皮抽出物も健康の維持・増進、美容的な効果を目的とした製品が数多く流通している。しかしながら、コラーゲン、ヒアルロン酸、コンドロイチン硫酸塩には原料に由来する特有の臭み、松樹皮は微量であっても強い苦味を呈するという問題があった。このような中、機能性を満たす製品は少なくないが、風味の良さ、味といった観点で消費者の欲求を満たす製品は多くない。
【発明の開示】
【発明が解決しようとする課題】
【０００３】
本発明は、コラーゲン、ヒアルロン酸、コンドロイチン硫酸塩、松樹皮抽出物などの優れた健康食品素材を、風味が改善された食品として提供することを目的とする。
【課題を解決するための手段】
【０００４】
本発明は、コラーゲン、ヒアルロン酸、コンドロイチン硫酸塩、松樹皮抽出物からなる群から選ばれる１または２以上を含有する食品の風味の改善方法であって、ハチミツを含有することを特徴とする方法に関するものであり、また前記方法により、風味が改善された食品に関する。
【発明の効果】
【０００５】
本発明によれば、コラーゲン、ヒアルロン酸、コンドロイチン硫酸塩、松樹皮抽出物などの優れた健康食品素材を、風味が改善された食品として提供することが出来る。
【発明を実施するための最良の形態】
【０００６】
以下、本発明の実施形態について説明する。なお、本発明は、下記実施形態の記載により限定して解釈するべきでなく、特許請求の範囲における記載の範囲内で種々の変更が可能である。
【０００７】
本発明の中で用いられるコラーゲンとしては特に制限されるものではないが、例えば豚や牛、鮭などの皮、魚鱗、豚軟骨、鶏軟骨、鮫のヒレなどから精製されたコラーゲンを粉末にしたものが用いられる。
【０００８】
本発明の中で用いられるヒアルロン酸としては特に制限されるものではないが、例えば鶏冠からの抽出物や、乳酸菌などにより生成されたヒアルロン酸を粉末にしたものが用いられる。
【０００９】
本発明の中で用いられるコンドロイチン硫酸塩の起源としては特に制限されるものではないが、例えば鮫軟骨、イカ軟骨、豚軟骨などから抽出されたコンドロイチン硫酸塩を粉末にしたものが用いられる。
【００１０】
本発明の中で用いられるコンドロイチン硫酸塩としては、例えばコンドロイチン硫酸蛋白複合体などが用いられる。
【００１１】
本発明の中で用いられる松樹皮抽出物は特に制限されるものではないが、例えばフランス海岸松の樹皮から抽出された松樹皮抽出物を粉末にしたものが用いられる。
【００１２】
本発明の中で用いられるハチミツとしては特段の制限はないが、加工の容易さからパウダー状のハチミツが好適に用いられる。
【００１３】
本発明の中で用いられるコラーゲン、ヒアルロン酸、コンドロイチン硫酸塩、松樹皮抽出物の配合量は特段の制限はないが、本願課題が生じうる範囲としては各素材単体の配合量として、コラーゲンが１０重量％以上、ヒアルロン酸が０．１重量％以上、コンドロイチン硫酸塩が０．５重量％以上、松樹皮抽出物が０．０５重量％以上である。
【００１４】
本発明の風味改善方法には、上記の素材以外に添加可能な成分として特段の制限はないが、例えば賦形剤、酸化防止剤、香料、甘味料、酸味料、ｐＨ調整剤、保存料、調味料、果実エキス類、野菜エキス類、品質安定剤など常法で用いられる各種添加剤が添加可能である。
【実施例】
【００１５】
以下、本発明の実施例について説明する。なお、本発明は、下記の実施例に限定して解釈すべきではなく、特許請求の範囲における記載の範囲内で種々の変更が可能である。
【００１６】
（実施例）
表１に記載の処方に従い実施例１〜５を、表２に記載の処方に従い比較例１〜５をそれぞれ３ｇずつ調整した。その後水１００ｍｌを添加、撹拌後得られた飲料を専門パネラー１０名により下記の評価基準で風味を評価し、その平均点を評点とした。結果を表１、表２に示す。なお実施例中で用いたデキストリンは無味無臭であり、その添加により本願発明への影響はなかった。
【００１７】
３：臭みがなく、飲用に適している。
２：臭みまたは苦味はあるが、飲用に耐える。
１：臭みがあり、飲用に適さない。
【表１】
2009183257.tif 000002
【表２】
2009183257.tif 000003
【産業上の利用可能性】
【００１８】
本発明によると、有用でありながら風味に難があったコラーゲン、ヒアルロン酸、コンドロイチン硫酸塩、松樹皮抽出物の風味を改善し、食用に適した食品が製造出来る。
(57)【要約】【課題】酸化防止剤を使用しないで、長期にわたって酸化劣化が抑制された健康食品を提供すること。【解決手段】環状オリゴ糖で包接された健康食品活性成分を環状オリゴ糖に包接させることにより、酸化防止剤を使用しないでも健康食品の酸化劣化を長期にわたって防止できる健康食品であり、環状オリゴ糖としてはβ−シクロデキストリンまたはγ−シクロデキストリンであることが好ましい。【選択図】      なし【特許請求の範囲】
【請求項１】
環状オリゴ糖で包接された健康食品活性成分を含む健康食品。
【請求項２】
環状オリゴ糖が、β−シクロデキストリンまたはγ−シクロデキストリンであることを特徴とする請求項１に記載の健康食品。
【発明の詳細な説明】
【技術分野】
【０００１】
本発明は、健康食品に係り、より具体的には、長期にわたって酸化劣化を抑制できる健康食品に関するものである。
【背景技術】
【０００２】
健康食品は、栄養成分を補給するか、または保健に適する食品であり、通常の食品に比べて栄養素等の成分を高濃度に含有している。このような健康食品に限らず、飲食品一般には、製造工程中あるいは保存中において、配合される成分が、通常、酸化されて劣化することを防止するために、各種酸化防止剤を適当量配合されている。
【０００３】
例えば、カフェー酸、フェルラ酸、クロロゲン酸を用いた糖類の褐変防止方法（例えば、特許文献１参照）が開示されている。また、食品等の酸化劣化を防止するため、ぶどう果実の搾汁粕または種子などの植物体から採取されるプロアントシアンジン少量体を有効成分とする酸化防止剤も開示されている（例えば、特許文献２、３参照）。
【特許文献１】特開昭５７−１１５１４７号公報
【特許文献２】特公平３−７２３２号公報
【特許文献３】特開平３−２００７８１号公報
【発明の開示】
【発明が解決しようとする課題】
【０００４】
しかしながら、これらの酸化防止剤は、安全性の面で満足できるものでない。したがって、酸化防止剤を使用しないで、健康食品の酸化劣化を防止することが望ましい。
そこで、本発明は、酸化防止剤を使用しないで、長期にわたって酸化劣化が抑制された健康食品を提供することを目的とする。
【課題を解決するための手段】
【０００５】
本発明によると、環状オリゴ糖で包接された健康食品活性成分を含む健康食品が提供される。
【発明の効果】
【０００６】
本発明の健康食品は、酸化防止剤を使用しないにも拘わらず、長期にわたって酸化劣化が防止される。
【発明を実施するための最良の形態】
【０００７】
本発明者らは、酸化防止剤を使用しないで、健康食品の酸化劣化を防止し得る手法について鋭意研究した結果、健康食品活性成分を環状オリゴ糖に包接させることにより、酸化防止剤を使用しないでも、健康食品の酸化劣化を長期にわたって防止し得ることを見いだし、本発明を完成した。
【０００８】
シクロデキストリン等環状オリゴ糖は、分子内に空洞を有し、この空洞内に健康食品活性成分が取り込まれ、健康食品活性成分を長期にわたって酸化劣化から保護する。また、環状オリゴ糖は、その安全性が確認されている物質である。
【０００９】
環状オリゴ糖としては、α−シクロデキストリン、β−シクロデキストリン、γ−シクロデキストリンを使用することができる。これらシクロデキストリンの混合物も使用できる。なかでも、β−シクロデキストリン、γ−シクロデキストリンが好ましい。
【００１０】
本発明の健康食品は、健康食品活性成分等の成分を、環状オリゴ糖と接触させた後、乾燥することにより粉末の形態で得ることができる。より具体的には、健康食品成分と環状オリゴ糖を湿式造粒機で混合し、得られた混合物を整粒機で整粒した後、流動層乾燥機で乾燥することができる。
【００１１】
本発明の健康食品において、環状オリゴ糖に包接される活性成分としては、ビタミンＥ等のビタミン類、コエンザイムＱ１０のような補酵素類、コラーゲン、エラスチン、プラセンタ、セラミド、ヒアルロン酸ナトリウム等を例示することができる。
【実施例】
【００１２】
次に、本発明を実施例により説明するが、本発明はこれら実施例により限定されるものではない。
実施例１
２０重量部のコエンザイムＱ１０と８０重量部のβ−シクロデキストリンを、エタノール９５重量％と蒸留水５％からなる混合溶剤とともに、回転速度２００ｒｐｍの大きな羽根と回転速度３０００ｒｐｍの小さな羽根を有する湿式混合造粒機に入れ、混合した。得られた混合物を整粒機で整粒した後、流動層乾燥機で乾燥して、コエンザイムＱ１０を包接したβ−シクロデキストリンからなる健康食品を得た。
【００１３】
実施例２
２０重量部のコエンザイムＱ１０の代わりに２０重量部の天然ビタミンＥを用いた以外は実施例１と同様にして、天然ビタミンＥを包接したβ−シクロデキストリンからなる健康食品を得た。
【００１４】
比較例１
８０重量部のβ−シクロデキストリンの代わりに８０重量部の結晶セルロースを用いた以外は実施例１と同様にして、健康食品を得た。
比較例２
８０重量部のβ−シクロデキストリンの代わりに８０重量部の結晶セルロースを用いた以外は実施例２と同様にして、健康食品を得た。
【００１５】
実施例１〜２および比較例１〜２で得た健康食品を空気に暴露した状態で常温で保存し、その状態を観察したところ、比較例１〜２の健康食品は、いずれも、１ヶ月で異臭を発生したが、実施例１〜２の健康食品は、６ヶ月経過後も異臭を発生しなかった。
この結果から、活性成分を環状オリゴ糖で包接することにより、長期にわたって酸化劣化しない安定な健康食品が得られることが確認された。
【産業上の利用可能性】
【００１６】
健康食品活性成分を環状オリゴ糖に包接させることにより、酸化防止剤を使用しないでも、健康食品の酸化劣化を長期にわたって防止し得るものである。
(57)【要約】      （修正有）【課題】日常生活を送るにあたって、防ぎようのない感染タイプである飛沫型の菌・ウィルスを予防する。【解決手段】粘膜に接触する円筒形状あるいは、円筒形に二面存在する円形状の面、上底と下底のうち一方が筒状に抜かれていないキャップの形状をした、吸水性、保湿性、さらには通気性の機能性を保有する柔軟性を持つ素材からなる構造体１と前述の柔軟性を持つ構造体の中心部の空間に、円柱状の空気清浄機脳を有する芯材２とからなる鼻栓。【選択図】図１
2009183428.tif 000002
【特許請求の範囲】
【請求項１】
粘膜に接触する円筒形状あるいは、円筒形に二面存在する円形状の面、上底と下底のうち一方が筒状に抜かれていないキャップの形状をした、吸水性、保湿性、さらには通気性の機能性を保有する柔軟性を持つ素材からなる構造体と、前述の柔軟性を持つ構造体の中心部の空間に、円柱状の空気清浄機能を有する芯材とからなる鼻栓。
【請求項２】
請求項１の本発明の鼻栓において、円柱状の空気清浄機能を有する芯材に多孔質材料を混入あるいは芯材と供に具備することを特徴とした鼻栓。
【発明の詳細な説明】
【技術分野】
【０００１】
本発明は、鼻腔内の粘膜を保護することを目的とした、鼻栓に関する。
【背景技術】
【０００２】
風邪の予防などには、耳にゴムをかけて、口と鼻を覆いかぶせるという手法が一般的であった。
【０００３】
最近になり、鼻に詰める鼻栓タイプのものも市販されている。
【特許文献１】特許第３３００８９３号公報
【非特許文献１】特開平９−２３９０４７号公報
【発明の開示】
【発明が解決しようとする課題】
【０００４】
従来の鼻栓の目的は、悪臭を防ぐために鼻に詰めて臭気の侵入を防いだり、花粉を侵入させないことを目的に単純に鼻に詰めて侵入経路を塞ぐことであったり、鼻の通りを良くすることを目的に、コットンにメントールを含浸させたりしていた。
【０００５】
しかし、この手法では花粉の侵入を完全に防ぐことはできない。
【０００６】
さらに、鼻の通りを良くするだけで、花粉の侵入を防ぐようなことはできず、ほんのわずかな付加価値を付ける程度の鼻栓というだけであった。
【発明の効果】
【０００７】
本発明は、鼻の粘膜に付着し感染する飛沫型のウィルスや菌の粘膜への付着を阻止し、さらにはそれらのウィルスや菌を殺傷、あるいは減滅させ、その上で日常生活での鼻呼吸を、より効率よく行うことを手伝い、健康にも寄与する。
【発明を実施するための最良の形態】
【０００８】
本発明の鼻栓は二つの構造体からなる。
【０００９】
まず第一に、粘膜に接触する円筒形状あるいは、円筒形に二面存在する円形状の面、上底と下底のうち一方が筒状に抜かれていないキャップの形状をした構造体。
【００１０】
前述の構造体は、ウィルスや菌の粘膜付着を防ぐことを目的とし、スポンジ、コットン、不織布等の柔軟性を持つ素材からなる。
【００１１】
この素材には、吸水性、保湿性、さらには通気性の機能性を保有するものを採用し、殺菌・除菌・滅菌等の対菌・対ウィルスに有効な機能を持つ液体を含浸させる。
【００１２】
次に、前述の柔軟性を持つ構造体の中心部の空間に、円柱状の空気清浄機能を有する芯材には空気清浄機能を有する不織布やフィルター素材を用いると、より綺麗な空気を鼻呼吸により吸い込むことが可能となる。
【００１３】
さらに、上述の芯材に多孔質材料（活性炭、珪藻土、カーボンナノチューブなど）を混入する、あるいは具備することで、空気と供に鼻呼吸により吸い込んだ浮遊物（ほこり、ハウスダスト、菌、ウィルス、花粉など）などを吸着させることが可能となる。
【００１４】
又、本発明の芯材に、芳香性を持たせると、本発明の機能性に、癒し効果や眠気防止効果などの付加価値が生まれることとなる。
【産業上の利用可能性】
【００１５】
このところ、人の生命に関わる新種の菌・ウィルスが頻発している。
【００１６】
菌やウィルスそれぞれに、様々な感染経路がある。
【００１７】
その中においても、特に飛沫型は日常生活を送っている限り、防ぎようがない。
【００１８】
そこで、本発明の鼻栓を使用することで、感染の可能性を限りなく低くすることができる。
【００１９】
特筆すべきは、この鼻栓がもたらす安全性を必要とするのが、日本だけでないということである。
【００２０】
飛沫型の菌やウィルスは全世界において人類の脅威である。
【図面の簡単な説明】
【００２１】
【図１】本発明の鼻栓の構造。
【図２】本発明の鼻栓の使用方法。
【図３】多孔質材料の使用方法例１
【図４】多孔質材料の使用方法例１
【符号の説明】
【００２２】
１吸水性、保湿性、さらには通気性の機能性を保有する柔軟性を持つ素材からなる構造体
２円柱状の空気清浄機能を有する芯材
３多孔質材料
【図１】
2009183428.tif 000003
【図２】
2009183428.tif 000004
【図３】
2009183428.tif 000005
【図４】
2009183428.tif 000006
(57)【要約】【課題】片面粘着セロファンテープの先端部分に、自動的に粘着面を内側に折り返えしたテープ抓みを作る、セロファンテープ粘着面自動折り返しテープカッターを提供する。【解決手段】片面粘着セロファンテープのテープカッターに、テープを繰り出すためのローラーと、可動式のテープカット刃を設けて、これにテープ本来の特性を活用した動作機構を特徴とする、セロファンテープ粘着面自動折り返しテープカッター。【選択図】図１
2009073654.tif 000002
【特許請求の範囲】
【請求項１】
片面粘着セロファンテープを使用するテープカッターに、テープ繰り出し用のローラーと、可動構造のテープカット刃部分を設け、これにテープ本来の特性を活用して、テープの先端部分に、自動的に粘着面を内側に折り込んだ抓み部分を形成したことを特徴とする、セロファンテープ粘着面自動折り返しテープカッター。
【発明の詳細な説明】
【技術分野】
【０００１】  本発明は、片面粘着セロファンテープ（以下テープ）を裁断するときに、次に引き出されるテープ先端部分の粘着面を自動的に内側に折り込む、セロファンテープ粘着面自動折り返しテープカッターに関するものである。
【背景技術】
【０００２】  現在市販されているテープカッターは、単にテープをカットするだけの機構である。
【特許文献１】特許公開２００２−１４５５１１
【発明の開示】
【発明が解決しようとする課題】
【００３】  そのため次のような問題があった。
（イ）テープを引き出すとき、指にくっ付いたりして困る場合があった。
（ロ）テープを貼るときテープ全面が貼られるため、剥がすときに剥がし難かったり、また、貼った素材や貼った箇所を汚したり傷つけたりすることが多かった。
本発明は、これらの問題点を解決し、テープをより使い易くしようとするものである。
【課題を解決するための手段】
【０００４】  テープカッターに、テープ繰り出し用のローラーを設け、可動構造のテープカット刃を設けて、併せてテープ本来の特性を有効に活用して、テープをカットするとき、次に引き出されるテープ先端部分に、粘着面を内側に折り返したテープ抓みを自動的に形成する。
以上を特徴とするセロファンテープ粘着面自動折り返しテープカッターである。
【発明の効果】
【０００５】  テープ抓みを作ることで次のような改善が見込める。
テープ抓みがあると、テープを扱うとき指にくっ付くことも少なくなり、楽にテープが引き出せて、テープを貼る場合も貼り易くなる。
従来の全面貼りに比して、接着されないテープ抓みがあることで事後処理がし易くなり、テープを剥がす場合剥がし易く、また、丁寧に剥がすことが出来るので、貼る素材や貼った箇所を汚したり傷めたりすることも減少する。
以上のように、テープ使用がより便利で使い易く改善される。
【発明を実施するための最良の形態】
【０００６】  以下、本発明の形態を説明する。
（イ）テープカッター本体（以下本体）に、テープの粘着面が接触して回転するローラー（１）を設けて、本体と底部の回転軸（３）で連結されて、上部の刃先がローラー（１）との間で一定幅開く、可動式のカット刃（２）を設けている。
（ロ）カット刃（２）の刃先は回転軸（３）と同軸の戻りバネ（４）によって通常はローラー（１）側に閉じており、刃先は閉じているときはローラー（１）より若干高く、開くとローラー（１）よりも若干低くなる。
ローラー（１）には、リング状か又は螺旋状の凹凸を設けて、粘着面との接触抵抗を低減させている。
（ハ）（イ）・（ロ）の動作には使用テープの張力と粘着力も連携活用しているので、この連携動作を円滑補助するため、弾性の抑え板（あ）・抑え板（い）を設け、（い）と同じ作用の錘ローラー（う）を設けて、本発明の使用形態に応じて使用している。
（二）本発明のテープカッターは、既存のカッターにも使用可能な、テープ収納ケースに別付けで取り付けて使用する単体型と、テープ収納ケース内部に組み込んで使用する一体型の両形式がある。両形式とも基本的動作機構は同一である。
本発明は以上の構成よりなっている。
本発明を使用するときは、
（イ）本体テープ（７）からテープを引き出して、粘着面を刃先に粘着させてカット刃（２）を開いていくと、テープはローラー（１）にも粘着しこれを回転させながら、ローラー（１）とカット刃（２）間が一定幅開く。
このとき、本体テープ（７）とローラー（１）とカット刃（２）間で、ローラー（１）にある粘着部を頂点とした山形状にテープ（５）とテープ（６）が形成され、同時にテープ（５）とテープ（６）は両端に引っ張られる張力が発生している。
（ロ）引き出したテープをカット刃（２）でカットすると、カット刃（２）は戻りバネ（４）によりローラー（１）側に自動復帰し、同時にテープ（５）は両端の張力が消滅し、粘着しているカット刃（２）の刃先によって、ローラー（１）側に押し戻される。
（ハ）この動きでテープ（６）は、ローラー（１）による張力が消滅し本体（７）の張力のみとなり、テープ（６）が接しているローラー（１）頂点の粘着部は、この張力に引っ張られて、本体（７）側に数十度の回転運動をする。
この粘着部の回転により、テープ（５）はローラー（１）に巻き込まれる状態となる。
（ニ）こうしたカット刃（２）の押し戻しとローラー（１）の巻き込みの相乗作用により、テープ（５）は中間部がΩ状に上部に押し上げられて、粘膜面を内側にした円弧状の折り返しを形成する。この折り返し部分がテープ抓みとなる。
抓みの幅は、カット刃（２）の開き角度固定もしくは開き角度調節（８）により、約５〜１０ｍｍの間で設定出来る。
（ホ）テープの種類により、テープ（５）に円弧状の折り返しが出来難いテープがあるが、本体テープ（７）のふらつき防止抑え板（あ）や、本体テープ（７）の張力に代り、テープ（６）の上面を下向きに抑えてローラー（１）の回転運動の補助をする、抑え板（い）・錘ローラー（う）を使用して、円弧状の折り返し形成を確実にしている。
補助具（あ）・（い）・（う）は、本発明の使用形態により実際的取り付け状態は変る。
【図面の簡単な説明】
【０００７】
【図１】  本発明の基本的概観斜視図
【図２】  図（ａ）、（ｂ）、本発明の使用形態例の概略斜視図
【図３】  本発明のローラー断面図
【図４】  図（ａ）、（ｂ）、本発明の動作図
【図５】  本発明の［図４］補助図
【符号の説明】
【０００８】  １    ローラー
２    カット刃
３    回転軸
４    戻りバネ
５    テープ
６    テープ
７    本体テープ
８    開き角度調節
あ    弾性抑え板
い    弾性抑え板
う    錘ローラー
【図１】
2009073654.tif 000003
【図２】
2009073654.tif 000004
【図３】
2009073654.tif 000005
【図４】
2009073654.tif 000006
【図５】
2009073654.tif 000007